(57)【要約】【課題】個人が必要に応じて自分のデータだけを送信するとともに、必要に応じたサービスが受けられる利用環境を提供する。【解決手段】携帯型通信機１１，１２との接続検出手段２３と、携帯型通信機個体識別手段２４と、前記接続検出手段２３の検出結果と前記携帯型通信機個体識別手段２４の識別結果に基づいて前記携帯型通信機１１，１２をサーバ１３，１４に接続するサーバ接続手段２５と、健康データ測定手段２０と、個人別健康データ記憶手段２１と、前記携帯型通信機個体識別手段２４の識別結果に対応する健康データを前記サーバ１３，１４に送信するデータ送信手段２６とからなる健康管理データ測定機１６とすることにより、利用者各個人が必要に応じてあらかじめ設定された所定のサーバに自分のデータだけを必要なときに必要なだけ送信するものである。【選択図】　図１
2004135761.tif 000002
【特許請求の範囲】
【請求項１】
少なくとも一つの携帯型通信機と、少なくとも一つのサーバと、前記携帯型通信機に接続して前記サーバに健康管理データを送信する別設の健康管理データ測定機とから構成され、前記健康管理データ測定機は、前記携帯型通信機との接続検出手段と、前記携帯型通信機の個体識別をおこなう携帯型通信機個体識別手段と、前記接続検出手段の検出結果と前記携帯型通信機個体識別手段の識別結果に基づいて前記携帯型通信機を前記サーバに接続するサーバ接続手段と、健康データ測定手段と、前記健康データ測定手段からのデータを個人別に記憶する個人別健康データ記憶手段と、前記個人別健康データ記憶手段に記憶された健康データから前記携帯型通信機個体識別手段の識別結果に対応する健康データを前記サーバに送信するデータ送信手段とから構成される健康管理支援装置。
【請求項２】
携帯型通信機は、携帯電話である請求項１記載の健康管理支援装置。
【請求項３】
携帯型通信機は、携帯情報端末である請求項１記載の健康管理支援装置。
【請求項４】
接続検出手段は、健康管理データ測定機と携帯型通信機双方に互いに接続可能に設けられた接続具を用いて電気的に接続されたことを検出する構成とした請求項１〜３のいずれか一項記載の健康管理支援装置。
【請求項５】
サーバ接続手段は、携帯型通信機個体識別手段の識別結果に基づいてあらかじめ設定された複数のサーバのうちの一つに接続する構成とした請求項１〜４のいずれか一項記載の健康管理支援装置。
【請求項６】
健康データ測定手段は、身長、体重、体脂肪率、血圧値、心拍数、心電図、尿糖値、血糖値、コレステロール値のうち少なくとも一つの生体情報を測定する構成とした請求項１〜５のいずれか一項記載の健康管理支援装置。
【請求項７】
請求項１〜６のいずれか一項記載の健康管理支援装置の全てもしくは一部をコンピュータに実行させるプログラム。
【発明の詳細な説明】
【０００１】
【発明の属する技術分野】
本発明は、健康管理データを健康管理データ測定機からサーバに送信し、健康管理を支援する健康管理支援装置に関するものである。
【０００２】
【従来の技術】
従来のこの種の健康管理支援装置としては、個人認識装置と、生体情報測定手段と、第一の通信手段と、第二の通信手段と、通信ネットワーク手段と、サーバとで構成されるものがあった（例えば、特許文献１参照）。
【０００３】
図４は前記公報に記載された従来の健康管理支援装置の概略構成を示すものである。
【０００４】
図４において、生体情報測定手段１と、個人認識装置２と、生体情報測定手段１で測定された生体情報を収集する第一の通信手段３と、前記第一の通信手段３で収集された生体情報を外部のサーバ４に送信するために通信ネットワーク手段５に接続される第二の通信手段６とから構成される。
【０００５】
この構成において、生体情報測定手段１は、個人認識装置２で認識された個人別の生体情報を記憶し、第一の通信手段３を介してその生体情報を第二の通信手段６に送信後、第二の通信手段６はネットワーク手段５に接続して外部のサーバ４に生体情報を送信する。
【０００６】
【特許文献１】
特開２０００−１７５８７２号公報
【０００７】
【発明が解決しようとする課題】
しかしながら上記従来の構成は、記憶された生体情報を一括してサーバ４に送信するので、とくにサービスを受ける必要がない人の生体情報や送りたくないもの、送る必要のないものまで送信してしまうという問題がある。このように個人情報の扱いについての課題があった。
【０００８】
また、第二の通信手段６はあらかじめ決められた特定のサーバ４に接続して生体情報を送信するので、利用者の生体情報を使ってサービスを提供したい事業者が複数ある場合、このサーバ４の使用が前提となり、開発や事業を進めるにあたって制約が多いという問題も有しており、容易に独自のサービスを展開できる環境を事業者に提供するという課題もあった。
【０００９】
本発明は、上記従来の課題を解決するもので、利用者にとっては個人が必要に応じて自分のデータだけを送信するとともに、必要に応じたサービスが受けられ、サービス事業者にとっては、サービス展開にあたって制約の小さい環境を提供することを目的とする。
【００１０】
【課題を解決するための手段】
本発明は上記課題を解決するため、携帯型通信機との接続検出手段と、前記携帯型通信機の個体識別をおこなう携帯型通信機個体識別手段と、前記接続検出手段の検出結果と前記携帯型通信機個体識別手段の識別結果に基づいて前記携帯型通信機をサーバに接続するサーバ接続手段と、健康データ測定手段と、前記健康データ測定手段からのデータを個人別に記憶する個人別健康データ記憶手段と、前記個人別健康データ記憶手段に記憶された健康データから前記携帯型通信機個体識別手段の識別結果に対応する健康データを前記サーバに送信するデータ送信手段とからなる健康管理データ測定機とすることにより、個人別に記憶された健康データから、利用者各個人が持つ携帯型通信機に対応したデータを当該各個人が必要に応じてあらかじめ設定された所定のサーバに接続し、自分のデータだけを必要なときに必要なだけ必要なところへ送信するものである。
【００１１】
【発明の実施の形態】
請求項１に記載の発明は、少なくとも一つの携帯型通信機と、少なくとも一つのサーバと、前記携帯型通信機に接続して前記サーバに健康管理データを送信する別設の健康管理データ測定機とから構成され、前記健康管理データ測定機は、前記携帯型通信機との接続検出手段と、前記携帯型通信機の個体識別をおこなう携帯型通信機個体識別手段と、前記接続検出手段の検出結果と前記携帯型通信機個体識別手段の識別結果に基づいて前記携帯型通信機を前記サーバに接続するサーバ接続手段と、健康データ測定手段と、前記健康データ測定手段からのデータを個人別に記憶する個人別健康データ記憶手段と、前記個人別健康データ記憶手段に記憶された健康データから前記携帯型通信機個体識別手段の識別結果に対応する健康データを前記サーバに送信するデータ送信手段とから構成することにより、利用者各個人が持つ携帯型通信機に対応したデータを当該各個人が必要に応じてあらかじめ設定された所定のサーバに接続し、自分のデータだけを必要なときに必要なだけ必要なところへ送信するものである。したがって、個人情報の扱いにすぐれるとともに、サーバを選択することで必要に応じたサービスが受けられ、さらに、サービス事業者にとっては、容易に独自のサービス展開が可能になる制約の小さい環境を実現できる。
【００１２】
請求項２に記載の発明は、携帯型通信機は、携帯電話とすることにより、一般の利用者が持ち歩いて利用することに慣れた機器を使用することで、機器操作への心理的ストレスを軽減できる。
【００１３】
請求項３に記載の発明は、携帯型通信機は、携帯情報端末とすることにより、一般の利用者が持ち歩いて利用することに慣れた機器を使用することで、機器操作への心理的ストレスを軽減できるとともに、携帯情報端末特有の個人のスケジュール管理などとも連携し、多くの機能を提供できたり、逆に健康管理の目的に絞った機器とすることも容易になるなど、利用者に提供できる機能に柔軟性が高いという効果がある。
【００１４】
請求項４に記載の発明は、接続検出手段は、健康管理データ測定機と携帯型通信機双方に互いに接続可能に設けられた接続具を用いて電気的に接続されたことを検出する構成とすることにより、利用者が健康管理データ測定機を携帯型通信機に直接つなぐという行為自体に基づいて健康管理をおこなうサーバに接続して健康管理データを送信する。つまり、健康管理を目的とする利用者に直観的な操作環境が提供できる。
【００１５】
請求項５に記載の発明は、サーバ接続手段は、携帯型通信機個体識別手段の識別結果に基づいてあらかじめ設定された複数のサーバのうちの一つに接続する構成とすることにより、利用者各個人の目的に応じたサービスを受けるために異なるサーバに接続するので、利用者の利便性も高い他、複数のサービス提供者が独自のサービスを展開することが容易に可能になる。
【００１６】
請求項６に記載の発明は、健康データ測定手段は、身長、体重、体脂肪率、血圧値、心拍数、心電図、尿糖値、血糖値、コレステロール値のうち少なくとも一つの生体情報を測定する構成とすることにより、複数のバイタルデータを簡単な操作でサーバに送信でき、それに基づく個人別のアドバイスなどがきめ細かくできる。
【００１７】
請求項７に記載の発明は、請求項１〜５のいずれか１項記載の生体消費熱量データ管理装置の全てもしくは一部をコンピュータに実行させるプログラムとすることにより、パソコンなどで容易に実現することができ、そのプログラムを記録した記録媒体を用いることでソフトウェアを各利用者の家庭でインストールする作業も容易になる。
【００１８】
【実施例】
以下、本発明の実施例について図面を参照しながら説明する。
【００１９】
図１は本発明の実施例の構成を示す図である。
【００２０】
携帯型通信機としての第一の携帯電話１１と、第二の携帯電話１２と、第一のサーバ１３と、第二のサーバ１４と、第一の携帯電話１１または第二の携帯電話１２と第一のサーバ１３または第二のサーバ１４とを接続してデータ送受信をおこなうための通信ネットワーク手段１５と、健康管理データ測定機としての体重計１６とから構成される。また、体重計１６と第一の携帯電話１１または第二の携帯電話１２とを互いに電気的、機械的に接続するための接続具としての第一のコネクタ１７と、第二のコネクタ１８と、第三のコネクタ１９を設けている。体重計１６内には、利用者の体重を検出する健康データ測定手段としての体重測定手段２０と、この体重測定手段２０により測定された体重データを個人別に測定時刻とともに記憶しておく個人別健康データ記憶手段としての個人別体重データ記憶手段２１と、計時のための時計手段２２と、第一のコネクタ１７または第二のコネクタ１８と第三のコネクタ１９によって第一の携帯電話１１または第二の携帯電話１２と体重計１６とが電気的に接続されたことを検出する接続検出手段２３と、接続された携帯電話が第一の携帯電話１１か第二の携帯電話１２かを識別する携帯型通信機個体識別手段としての携帯電話個体識別手段２４と、これら接続検出手段２３および携帯電話個体識別手段２４の検出結果に基づいて第一の携帯電話１１の場合は第一のサーバ１３に、第二の携帯電話１２の場合は第二のサーバ１４に接続するサーバ接続手段２４と、第一のサーバ１３または第二のサーバ１４に接続完了後に個人別体重データ記憶手段２１に記憶された体重データのうち、携帯電話個体識別手段２４の識別結果に対応するデータを送信するデータ送信手段２６を設けている。
【００２１】
以上の構成において動作を説明する。
【００２２】
第一の利用者は第一の携帯電話１１を所有し、第一のサーバ１３で提供されるサービス糖尿病予防サービスを受けている。同様に第二の利用者は第二の携帯電話１２を所有し、第二のサーバ１４で提供されるダイエット支援サービスを受けている。これらの利用者は、任意に体重計１６を使用し、体重データが各利用者別に個人別体重データ記憶手段２１に蓄積されていく。図２は、この体重計１６の表示部であり、利用者番号選択ボタン２７とデータ登録ボタン２８により、個人別体重データ記憶手段２１へ記憶するデータを利用者が決定する。第一の利用者が使う手順としてはまず利用者番号選択ボタン２７の「１」を押した後、体重計１６に載って体重値を表示させる。この体重値を記憶しておきたい場合には登録ボタン２８を押すと、時計手段２２のそのときの計時の測定時刻とこの体重データが個人別体重データ記憶手段２１に記憶される。図３は、個人別体重データ記憶手段２１の記憶内容である。体重データは携帯電話の個体識別番号と関連付けて記憶されている。
【００２３】
次に第一の利用者が第一の携帯電話１１を用いて第一のサーバ１３に体重データを送信する操作を説明する。第一の利用者は体重計１６の第三のコネクタ１９を第一の携帯電話１１の第一のコネクタ１７に接続する。第一の携帯電話１１と体重計１６とは機械的、電気的に接続された状態となり、接続検出手段２３はこれらが電気的に接続されたことを検出する。携帯電話個体識別手段２４は、接続された携帯電話が第一の携帯電話１１であることを識別し、サーバ接続手段１０は、自動的に体重計１６を第一の携帯電話１１、通信ネットワーク手段１５を介して第一のサーバ１３に接続する。接続が完了すると、データ送信手段２６は、第一の携帯電話１１に対応させてある体重データを個人別体重データ記憶手段２１から選択して第一のサーバ１３に送信する。第一のサーバ１３はこれらのデータを受け、第一の利用者が受けている糖尿病予防サービスをおこなう。
【００２４】
第二の利用者の第二の携帯電話１２が体重計１６に接続された場合には、上記と同様にして第二のサーバ１４に接続して体重データを送信し、それに基づくダイエット支援サービスを受ける。
【００２５】
このように、本実施例では、利用者各個人が持つ携帯電話に対応したデータを当該各個人が必要に応じてあらかじめ設定された所定のサーバに接続し、自分のデータだけを必要なときに必要なだけ必要なところへ送信できるので、個人情報の扱いにすぐれるとともに、サーバを選択することで必要に応じたサービスが受けられる。さらに、サービス事業者にとっては、送信されてくるデータの形式がわかっていさえすれば、他に制約を受けることなく自由にサービスを展開することができる。
【００２６】
また、本実施例では、利用者の行為としては携帯電話を体重計１６に機械的に接続するだけという極めて簡単な操作で所定のサーバにデータを送信できる利用環境を実現する。これによって、情報機器を使いこなすことが不得手な中高年者などにとっては、健康管理という目的に対応して直接的でわかりやすいという実用上多大な効果がある。
【００２７】
なお、本実施例の動作の説明では、接続検出手段２３の出力により、データ送信までの一連の動作を自動的に終えてしまう場合を説明したが、データ送信の途中で携帯電話のキー操作により動作状況の利用者に確認させたり、動作の指示をさせるなどしてもよい。
【００２８】
また、健康管理データ測定機としては体重計１６の他に、血圧、身長、体脂肪率、心拍数、心電図、尿糖値、血糖値、コレステロール値を測定する機器を用いることもできる。
【００２９】
さらに、携帯型通信機として携帯電話を用いたが、携帯情報端末を用いてもよく、この場合は携帯情報端末特有の個人のスケジュール管理などとも連携し、多くの機能を提供できたり、逆に健康管理の目的に絞った機器とすることも容易になるなど、利用者に提供できる機能に柔軟性が高いという効果がある。
【００３０】
また、通信ネットワーク手段１５には携帯電話網やインターネット網などを用いる。
【００３１】
【発明の効果】
以上のように、本発明によれば、携帯型通信機との接続検出手段と、前記携帯型通信機の個体識別をおこなう携帯型通信機個体識別手段と、前記接続検出手段の検出結果と前記携帯型通信機個体識別手段の識別結果に基づいて前記携帯型通信機をサーバに接続するサーバ接続手段と、健康データ測定手段と、前記健康データ測定手段からのデータを個人別に記憶する個人別健康データ記憶手段と、前記個人別健康データ記憶手段に記憶された健康データから前記携帯型通信機個体識別手段の識別結果に対応する健康データを前記サーバに送信するデータ送信手段とからなる健康管理データ測定機とすることにより、個人別に記憶された健康データから、利用者各個人が持つ携帯型通信機に対応したデータを当該各個人が必要に応じてあらかじめ設定された所定のサーバに接続し、自分のデータだけを必要なときに必要なだけ必要なところへ送信するものである。したがって、利用者の個人情報の扱いにすぐれるとともに、サーバを選択することで必要に応じたサービスが受けられる。さらに、サービス事業者にとっては、容易に独自のサービス展開が可能になる制約の小さい環境を実現できる。
【図面の簡単な説明】
【図１】本発明の実施例における健康管理支援装置の構成図
【図２】同体重計の表示部を示した図
【図３】同個人別体重データ記憶手段の記憶内容を示した図
【図４】従来の健康管理支援装置の構成図
【符号の説明】
１１　携帯型通信機としての第一の携帯電話
１２　携帯型通信機としての第一の携帯電話
１３　第一のサーバ
１４　第二のサーバ
１６　健康管理データ測定機としての体重計
１７　接続具としての第一のコネクタ
１８　接続具としての第二のコネクタ
１９　接続具としての第三のコネクタ
２０　健康データ測定手段としての体重計
２１　個人別健康データ記憶手段としての個人別体重データ記憶手段
２３　接続検出手段
２４　携帯型通信機個体識別手段としての携帯電話個体識別手段
２５　サーバ接続手段
２６　データ送信手段
【図１】
2004135761.tif 000003
【図２】
2004135761.tif 000004
【図３】
2004135761.tif 000005
【図４】
2004135761.tif 000006